(57)【要約】【課題】構造が簡単で安価に量産でき、低粘度の化粧材や粉状の化粧材でも確実に保持して、各種の化粧材を効果的に塗布できる塗布具を提供する。【解決手段】支持具９と、支持具９の一端に装着される塗布体１０とを備えている。塗布体１０は、エラストマーを素材とする射出成形品である。塗布体１０の表面にペイント面１５を有する。ペイント面１５には、化粧材を保持する捕捉凹部１６を一体に形成する。塗布体１０の外表面には、化粧材を保持する保持溝１７をペイント面１５と連通するよう一体に形成する。【選択図】図１
2006296625.tif 000002
【特許請求の範囲】
【請求項１】
支持具（９）と、支持具（９）の少なくとも一端に装着される塗布体（１０）とを備えており、
塗布体（１０）が、エラストマーを素材とする射出成形品であり、
塗布体（１０）の表面にペイント面（１５）を有し、
塗布体（１０）に、化粧材を保持する化粧材捕捉手段が一体に成形されていることを特徴とする化粧材の塗布具。
【請求項２】
化粧材捕捉手段が、縦長の塗布体（１０）の下端のペイント面（１５）に形成された捕捉凹部（１６）と、塗布体（１０）の外周面に縦向きに走るよう形成されてペイント面（１５）に連通する複数の保持溝（１７）とを含む請求項１記載の化粧材の塗布具。
【請求項３】
塗布体（１０）が、食品衛生法で規定する容器等の素材基準に適合するスチレン系エラスマーまたはウレタン系エラストマーで成形されている請求項１または２記載の化粧材の塗布具。
【請求項４】
塗布体（１０）が、ペイント面（１５）を含む本体部（１０ａ）と、支持具（９）に装着固定される取付基部（１０ｂ）とを一体に備えており、
本体部（１０ａ）の外表面が、化粧材捕捉手段として粗面化されている請求項１記載の化粧材の塗布具。
【請求項５】
化粧材を塗布するための塗布体（１０）が、エラストマーを素材とする射出成形品で平板状に形成されており、
塗布体（１０）の表面に、ペイント面（１５）と、化粧材を保持する化粧材捕捉部（３０）とが一体に成形されており、
ペイント面（１５）が粗面化処理されていることを特徴とする化粧材の塗布具。
【請求項６】
液状の化粧材を収容する本体容器（１）と、本体容器（１）の上端口部（２）を着脱可能に塞ぐキャップ（３）と、キャップ（３）に装着した塗布具（Ａ）とを備えており、
塗布具（Ａ）が、キャップ（３）に固定されて下向きに延びる棒状の支持具（９）と、支持具（９）の下端に装着される塗布体（１０）とを含み、
塗布体（１０）が、エラストマーを素材とする射出成形品であり、
塗布体（１０）の外表面に、ペイント面（１５）と、化粧材を保持する化粧材捕捉手段とが一体に成形されていることを特徴とする塗布具付き化粧材容器。
【請求項７】
塗布体（１０）の下端に、平坦な傾斜面からなるペイント面（１５）が形成されており、
ペイント面（１５）に、化粧材を保持する楕円形の捕捉凹部（１６）が凹み形成されている請求項６記載の塗布具付き化粧材容器。
【発明の詳細な説明】
【技術分野】
【０００１】
本発明は、アイライナー、リップグロス、アイシャドーなどの液状、ゲル状、あるいは粉状の化粧材を塗布するのに用いる塗布具と、塗布具を備えた化粧材容器とに関する。
【背景技術】
【０００２】
化粧材の塗布体としては、ひとつに毛束で形成した筆構造があり、他にプラスチック製の芯材の表面に短い繊維を植毛したペン構造がある（特許文献１、２参照）。特許文献１の塗布体は棒状に形成してあり、ゲル状の口紅を収容する容器の口に装着してある。塗布体の先端には平坦な傾斜塗布面を形成してあり、塗布面の中央部分と容器の内部とが通路を介して連通している。使用時には、容器から押し出した口紅を、塗布面でのばすようにして塗りつける。
【０００３】
特許文献２の塗布体は、半硬質エラストマーで形成した丸軸状の芯材と、芯材の表面に植毛された短い繊維とを有し、植毛部分にマスカラなど液状の化粧材を含ませて塗布する。撥水性に富むシリコン樹脂成形体からなるチップ構造の塗布体は、特許文献３にみられる。そこでは、塗布体を丸ボタン状に形成し、その内部を中空とすることで肌当りを和らげている。
【０００４】
【特許文献１】特開平１０−１９２０４５号公報（段落番号００１５、図１）
【特許文献２】特開２００４−５８７号公報（段落番号００３３、図１）
【特許文献３】特開２００３−１８９９２８号公報（段落番号００１４、図２）
【発明の開示】
【発明が解決しようとする課題】
【０００５】
特許文献１、２におけるペン構造の塗布具は、表面に短い繊維を植毛してあるので、液状あるいはゲル状の化粧剤を保持しやすく、例えばリップグロスを平面的に塗布したり、あるいはマスカラをまつ毛に付着させるのに好適である。しかし、塗布体の外形が先細の筆やペン状に形成してあったとしても、アイライナーのように化粧材を線状に塗布する用途には不向きである。粉状の化粧材を塗布するのにも適していない。繊維間に付着の化粧材を除去するのが難しいので、繊維間に付着の化粧材が乾燥して硬化したり、あるいは変質したりするおそれがあり、適用可能な化粧材に制約を受ける。フロッキー加工によって芯材の表面に短い繊維を植毛するので、その分だけ塗布具の製造コストがアップする不利もある。
【０００６】
特許文献３の塗布具は、撥水性に富むシリコーン樹脂等で塗布体を形成するので、液状の化粧材が塗布体に染み込むのを防止し、塗布体の表面を清浄な状態に維持できる。植毛工程がない分だけ塗布体の製造コストの削減化を図れる。しかし、撥水性に富む分だけ、粘度が低い液状の化粧材を塗布体の表面に保持するのが難しくなり、化粧材を効果的に塗布できない点に改良の余地があった。
【０００７】
本発明の目的は、植毛工程がない分だけ塗布体の製造コストを大幅に削減でき、低粘度の化粧材や粉状の化粧材でも確実に保持できて、各種の化粧材を効果的に塗布できる化粧材の塗布具を提供することにある。
【０００８】
本発明の目的は、各種の化粧材を確実に保持して塗布できる一方、使用後には表面に付着の化粧材を簡単に除去できて、塗布体を常に清浄な状態に維持できる化粧材の塗布具を提供することにある。
【０００９】
本発明の目的は、化粧材を平面的に塗布できるようにしながらも、線状に塗布するのにも好適なチップ構造の塗布体を備えた化粧材用の塗布具を提供することにある。本発明の目的は、上記の目的を達成するのに好適なチップ構造の塗布体を備えた塗布具付き化粧材容器を提供することにある。
【課題を解決するための手段】
【００１０】
請求項１記載の本発明に係る化粧材の塗布具は、図１ないし図４に示すごとく、支持具９と、支持具９の少なくとも一端に装着される塗布体１０とを備えている。このうち塗布体１０は、エラストマーを素材とする射出成形品であり、塗布体１０の表面にペイント面１５を有し、塗布体１０に化粧材を保持する化粧材捕捉手段（１６・１７）が塗布体１０の成形時に同時一体的に成形されていることを特徴とする。
【００１１】
請求項２記載の本発明は、請求項１記載の化粧材塗布具において、図３および図４に示すごとく、先の化粧材捕捉手段が、縦長の塗布体１０の下端のペイント面１５に形成された捕捉凹部１６と、塗布体１０の外周面に縦向きに走るよう形成されてペイント面１５に連通する複数の保持溝１７とを含むものになっている。
【００１２】
請求項３記載の本発明は、請求項１または２記載の塗布体１０が、食品衛生法で規定する容器等の素材基準に適合するスチレン系エラスマーまたはウレタン系エラストマーで成形されている。
【００１３】
請求項４記載の本発明は、請求項１記載の塗布体１０が、図１２に示すごとく、ペイント面１５を含む本体部１０ａと、支持具９に装着固定される取付基部１０ｂとを一体に備えており、その本体部１０ａの外表面が、化粧材捕捉手段として粗面化処理されている。
【００１４】
請求項５記載の本発明に係る化粧材の塗布具は、図１３に示すごとく、化粧材を塗布する塗布体１０が、エラストマーを素材とする射出成形品で平板状に形成されており、塗布体１０の外表面に、ペイント面１５と、化粧材を保持する化粧材捕捉手段３０とが一体に成形されており、ペイント面１５が粗面化処理されていることを特徴とする。
【００１５】
請求項６記載の本発明に係る塗布具付き化粧材容器は、図２に示すごとく、液状の化粧材を収容する本体容器１と、本体容器１の上端口部２を着脱可能に塞ぐキャップ３と、キャップ３に装着した塗布具Ａとを備えており、塗布具Ａが、キャップ３に固定されて下向きに延びる棒状の支持具９と、支持具９の下端に装着される塗布体１０とを含み、塗布体１０が、エラストマーを素材とする射出成形品であり、塗布体１０の外表面に、ペイント面１５と、化粧材を保持する化粧材捕捉手段とが一体に成形されていることを特徴とする。ここでの化粧材捕捉手段としては、図１ないし図４に示す保持溝１７が該当する。
【００１６】
請求項７記載の本発明は、請求項６記載の塗布具（Ａ）において、図３に示すごとく塗布体１０の下端に、平坦な傾斜面からなるペイント面１５が形成されており、このペイント面１５に、化粧材を保持する楕円形の捕捉凹部１６が凹み形成されている。
【発明の効果】
【００１７】
請求項１記載の本発明に係る化粧材塗布具によれば、塗布体１０の成形時に化粧材捕捉手段を同時に一体形成するので、例えばフロッキー加工によって芯材の表面に短い繊維を植毛した塗布体に比べて、各種形状の塗布体１０を概ね半分程度の製造コストで安価に提供できる。ペイント面１５の形状を適宜選定することにより、化粧材を平面的に塗布できるのはもちろんのこと、線状に塗布することも可能な化粧材の塗布具が得られる。しかも、塗布体１０の表面及び／又は内部に、化粧材を保持する化粧材捕捉手段が設けられているので、低粘度の化粧材や粉状の化粧材なども塗布体１０に確実に保持して、各種の化粧材を効果的に塗布できる。さらに、エラストマーを素材とする射出成形品で塗布体１０を形成したので、塗布体１０に化粧材が染み込むことがなく、使用後には表面に付着の化粧材を簡単に除去し得て、塗布体１０を常に清浄な状態に維持できる。
【００１８】
請求項２記載の本発明によれば、化粧材捕捉手段が、塗布体１０のペイント面１５に形成された捕捉凹部１６と、塗布体１０の外周面に形成されてペイント面１５に連通する複数の保持溝１７とを含んでいるので、より多くの化粧材を塗布体１０に保持できる。したがって、たとえば化粧材を線状に塗布するときでも、塗布すべき長さの線が途中で途切れるのを防止して、整った形の線を描くことができる。化粧材を塗布体１０に保持させるための手間も軽減化する。ペイント面１５に捕捉凹部１６が形成されていると、捕捉凹部１６に捕捉された化粧材の一部を肌面に付着させながら、ペイント面１５で伸ばして整形し、あるいはペイント面１５で塗り拡げることができるので、化粧材の塗布を使用者のイメージどおりに的確に行える。
【００１９】
請求項３記載の本発明によれば、塗布体１０が肌に触れることによる肌面の荒れや、かぶれなどを確実に防止でき、塗布体１０の肌触りが柔らかでソフトになるなど、肌面に対する接触感も好適化できる。
【００２０】
請求項４記載の本発明によれば、塗布体１０の本体部１０ａの外表面が、図１２に示すごとく粗面化処理されているので、化粧材の付着力が大きくなり、例えば低粘度の化粧材や粉状の化粧材などでも、確実に捕捉して保持できる。本体部１０ａの表面を粗面化することにより、固形の化粧材を粗面で効果的に削って、粉状の化粧材の捕捉をさらに確実に行える。
【００２１】
請求項５記載の本発明に係る化粧材塗布具では、図１３に示すごとく塗布体１０がエラストマーを素材とする射出成形品で平板状に形成してあり、その表面にペイント面１５と化粧材捕捉部３０とを形成したうえで、ペイント面１５を粗面化処理してあるので、任意形状の塗布体１０を安価に製造できる。粉状あるいはジェル状の化粧材でも、ペイント面１５および化粧材捕捉部３０に付着させて肌面に塗布できるので、顔全体に化粧材を塗布するような場合に、化粧材を手早く塗布して均等に伸ばすことができる。使用後には、ペイント面１５や化粧材捕捉部３０などに付着の化粧材を洗い落とすことによって、塗布体１０の表面を極めて簡単に清浄な状態に戻せるので、ペイント面１５や化粧材捕捉部３０に付着の化粧材の変質や、塗布体１０これ自体の劣化を生じ難い。
【００２２】
請求項６記載の本発明に係る化粧材容器によれば、表面にペイント面１５と、化粧材を保持する化粧材捕捉手段（例えば保持溝１７）とを有する塗布体１０が、エラストマーを素材とする射出成形品で一体に成形し、この塗布体１０と支持具９とからなる塗布具Ａがキャップ３に装着してあるので、塗布体１０を低コストで製造できる分だけ化粧材容器の全体を安価に提供できる。本体容器１に収容した液状の化粧材は、化粧材捕捉手段で保持して、ペイント面１５で肌面に塗布でき、芯材の表面に短い繊維が植毛してある塗布体を備えた化粧材容器に比べて、各種の化粧材を効果的に塗布できる。
【００２３】
請求項７記載の本発明に係る化粧材容器によれば、請求項６の作用効果に加えて、塗布体１０の下端のペイント面１５が平坦な傾斜面で形成されているので、ペイント面１５の幅は先端（下端）に近づくほど細くなっており、ペイント面１５の先端付近のみを肌面に接触させることにより、化粧材を線状に塗布できる。そのペイント面１５には捕捉凹部１６が凹み形成されているので、より多くの化粧材を塗布体１０に保持できる。
【発明を実施するための最良の形態】
【００２４】
（実施例１）  図１ないし図４は本発明に係る化粧材用の塗布具を備えた化粧材容器の実施例１を示しており、図２に示すごとく、化粧材容器は、アイライナー液（化粧材）を収容する縦長筒状の本体容器１と、本体容器１の上端口部２に着脱可能にねじ込み装着されて本体容器１の上端口部２を塞ぐキャップ３とからなる。キャップ３には、アイライナー液を塗付するための塗布具Ａが装着固定されている。
【００２５】
容器本体１の上端口部２には、塗布具Ａの塗布体１０に付着した余分なアイライナー液を掻き落とす二段筒状の掻落とし具５が内嵌固定されている。掻落とし具５はプラスチック、あるいはエラストマー等で成形されており、その下端に設けたリップ６で余分なアイライナー液をしごくようにして掻き落とす。キャップ３は塗布具Ａの握り柄を兼ねていて、上すぼまり棒状に形成してある。
【００２６】
塗布具Ａは、上端がキャップ３の内部に挿嵌固定される支持具９と、支持具９の下端に装着される円柱状の塗布体１０とからなる。図１において支持具９は、上下に長い棒状の軸体１１と、軸体１１の上端の取付頭部１２とを一体に形成したプラスチック成形品であり、軸体１１の下端に塗布体１０を取り付けるための装着穴１３が形成されている。
【００２７】
塗布体１０は、食品衛生法で規定する容器等の素材基準に適合するスチレン系エラスマー、またはウレタン系エラストマーのいずれかを素材とする射出成形品であり、下半側の径大の本体部１０ａと、支持具９に装着固定される径小の取付基部１０ｂとを一体に備えている。取付基部１０ｂを支持具９の装着穴１３に下方から嵌め込み、接着剤で接着固定することにより、塗布体１０は支持具９の軸体１１に一体化する。この状態において、塗布体１０の本体部１０ａと、軸体１１とは、それぞれの外周面が面一状になる。
【００２８】
本体部１０ａの下端には、平坦な傾斜面からなるペイント面１５を形成してある。エラストマーを素材とする塗布体１０は、そのままでは吸液性がないためアイライナー液を含むことができない。このような塗布体１０に対して、アイライナー液を的確に保持させるために、ペイント面１５には楕円形の捕捉凹部１６が化粧材捕捉手段として凹み形成されている。更に、塗布体１０の円形外周面には、縦向きに走る保持溝１７が捕捉凹部１６の周縁部分に連通するよう化粧材捕捉手段として形成されている。詳しくは、図３および図４に示すように、捕捉凹部１６は、部分球面状の凹面で形成し、塗布体１０の中心軸線と平行な保持溝１７を本体部１０ａの円形外周面に等間隔置きの合計８個所に形成した。
【００２９】
容器本体１にキャップ３を装着した状態においては、図２に示すように、支持具９の下側大半部分と、塗布体１０の全体とがアイライナー液に浸漬する。キャップ３を容器本体１から外して、支持具９および塗布体１０を容器本体１から抜き出すと、支持具９の軸体１１および塗布体１０の本体部１０ａの外周面に付着していたアイライナー液は、前記リップ６でしごかれて本体容器１内に掻き落とされる。
【００３０】
このとき、リップ６に塗布体１０の本体部１０ａは密着状に内嵌しているので、保持溝１７内のアイライナー液は該当の溝１７内に保持される。掻き落とされたアイライナー液の一部は、保持溝１７内へ強制的に押し込み充填されるので、保持溝１７の全体にわたってアイライナー液が充満する。
【００３１】
保持溝１７内のアイライナー液、および捕捉凹部１６に付着のアイライナー液は、それぞれアイライナー液の表面張力、および粘性によって付着状態が保持されるので、ユーザーはペイント面１５を肌に押し付けることでアイライナー液を肌面に塗布することができる。
【００３２】
肌面と接触するペイント面１５の幅は、先端（下端）に近づくほど細くなっているので、ペイント面１５の先端付近のみを肌面に接触させて、アイライナー液を線状に塗布することができる。
【００３３】
また、ペイント面１５や、その周りを容器本体１の口部に押し付けて、本体部１０ａを湾曲させて、保持溝１７を弾性変形させることにより、保持溝１７内のアイライナー液を捕捉凹部１６側へ押し出すようにして補充することができる。したがって、いったん捕捉凹部１６および保持溝１７内に保持したアイライナー液は、殆どを肌面に塗布できる。
【００３４】
上記の要領で本体部１０ａの軸部を湾曲させることにより、余分なアイライナー液は容器本体１内に戻すことになる。必要に応じて、軸体１１および本体部１０ａの外周面にティッシュペーパーをあてがってしごくことにより、保持溝１７や捕捉凹部１６に残存のアイライナー液は、余すところなく拭き取り除去できるし、もちろん水洗い除去してもよい。
【００３５】
ここでの化粧材塗布具は、液状あるいはジェル状のリップグロス（化粧材）を塗布することにも使用できる。その場合には、ペイント面１５の先端部分で唇の輪郭線を描き、ペイント面１５の半分ないし大半の部分を唇に接触させて、リップグロスを面状に塗布すればよい。この場合の塗布体１０は、本体部１０ａの直径寸法を大きく設定しておくことにより、リップグロスを手早く塗り拡げるのに有利になるであろう。
【００３６】
図５〜図８は、化粧材捕捉手段の別実施例を示す。なお、上記の実施例と同じ部材には同じ符号を付してその説明を省略する。図９以下の別実施例においても同様に扱う。
【００３７】
（実施例２）  図５の化粧材捕捉手段では、塗布体１０の本体部１０ａの上下２箇所に、液状の化粧材を受け入れる横向きの保持孔１９を交差するよう貫通状に設け、これら保持孔１９とペイント面１５の中央部分とを、本体部１０ａの中心に形成した連通路２０で連通した。これによれば、液状の化粧材は保持孔１９および連通路２０の内部に捕捉保持される。
【００３８】
（実施例３）  図６の塗布体１０では、本体部１０ａにペイント面１５から取付基部１０ｂ側へ向かって、平行なスリット２１を化粧材捕捉手段として形成し、これらスリット２１で液状の化粧材を捕捉保持できるようにした。本体部１０ａは、スリット２１で分割されて、より変形しやすくなっている。この場合には、先端側のスリット２１だけに液状の化粧材を含ませて、化粧材を線状に塗布することもできる。
【００３９】
（実施例４）  図７の塗布体１０では、本体部１０ａのペイント面１５に実施例１と同様の捕捉凹部１６を形成し、さらに捕捉凹部１６の底面に小さな凹み１６ａや突起１６ｂを化粧材捕捉手段として多数一体に形成することにより、捕捉凹部１６の表面積を大にして、液状の化粧材を捕捉凹部１６内においてより多く捕捉保持できるようにした。
【００４０】
（実施例５）  図８の塗布体１０では、本体部１０ａのペイント面１５に短軸状の突起２２の一群を化粧材捕捉手段として一体に形成して突起２２間の隙間に化粧材を捕捉保持できるようにした。
【００４１】
以上の説明から理解できるように、本発明の化粧材捕捉手段は、溝、凹部、孔、突起の保持要素のうち、これらから選ばれる少なくとも一種の保持要素で形成することができる。なお、図５〜図８で説明した化粧材捕捉手段は、塗布体１０の成形時に同時に形成することになる。
【００４２】
図９〜図１１は、塗布体１０の本体部１０ａの外形形状に関する本発明の別実施例を示す。
【００４３】
（実施例６）  図９の実施例６では、図９（ａ）に示すごとく塗布体１０の本体部１０ａの下側を偏平なへら状に形成して、へら部分の表裏をペイント面１５に設定し、各ペイント面１５には、化粧材捕捉手段として図９（ｂ）に示すごとく捕捉凹部２３の一群を凹み形成した。
【００４４】
（実施例７）  図１０の塗布体１０では、本体部１０ａを砲弾形に形成して、先すぼまり状の周面全体をペイント面１５とした。
【００４５】
（実施例８）  図１１の塗布体１０では、砲弾形に形成した実施例７の本体部１０ａの中央にスリット２４を化粧材捕捉手段として形成し、先すぼまり状の周面全体をペイント面１５とし、スリット２４に液状の化粧材を保持できるようにした。
【００４６】
（実施例９）  図１２は、粉状のアイシャドー（化粧材）を塗布するために用いられる本発明の化粧材塗布具の実施例９を示しており、手持ちされる棒状の支持具９と、支持具９の一側端（図の左端）に装着固定される塗布体１０とを含む。ここでの支持具９は、図１２において左右横長の丸棒状の軸体１１からなり、その外周面の上面側に摘み部２６を有するプラスチック成形品である。摘み部２６は指先を受け止めるために内凹み状の湾曲面で形成した。
【００４７】
実施例９の塗布体１０は、先の実施例と同様の素材で形成した射出成形品であり、左半側の本体部１０ａと、支持具９に装着固定される右側の取付基部１０ｂとを一体に備えていて、本体部１０ａおよび取付基部１０ｂの内部が空洞の中空部２８に形成されている。本体部１０ａは、前後厚みに比べて上下厚みが薄い涙滴形状に形成されており、上下面をそれぞれペイント面１５として、ペイント面１５が先の摘み部２６とほぼ平行になるように、取付基部１０ｂを支持具９に装着固定してある。
【００４８】
更に、本体部１０ａの外表面には、ディンプル状の多数個の捕捉凹部２９を化粧材捕捉手段として凹み形成し、さらにサンドブラスト加工を施すことによって、捕捉凹部２９を含む本体部１０ａの周面の全体を粗面化処理してある。このように、ペイント面１５および捕捉凹部２９の表面を粗面化処理することによって、粉状のアイシャドーでも本体部１０ａの表面で確実に捕捉して塗布することができる。先の中空部２８は、ペイント面１５が肌面に接触するとき、本体部１０ａがよく弾性変形できるようにして、ペイント面１５の肌当りをソフトで柔らかなものにするよう働く。実施例１〜８においても、本体部１０ａの表面にサンドブラスト加工を施すことができる。
【００４９】
（実施例１０）  図１３は、粉状、クリーム状、あるいはジェル状のファンデーション（化粧材）を塗布するために用いられる本発明の塗布具（パフ）の実施例１０を示す。この実施例１０では、卵形で平板状の塗布体１０のみで塗布具Ａを構成した。塗布体１０は先の実施例と同様の素材で形成した射出成形品であり、その片面に円形のペイント面１５を形成し、ペイント面１５の全体はサンドブラスト加工を施して粗面化し、さらにペイント面１５にディンプル状の多数個の捕捉凹部３０を化粧材捕捉手段として凹み形成してある。符号３１は塗布体１０にペイント面１５に隣接して貫通形成した指掛口である。
【００５０】
使用時には、ペイント面１５が形成された側から指掛口３１に指先（人差し指）を差し込んで、ペイント面１５の背面側に人差し指をあてがい、ペイント面１５の両側を親指と中指とで支えて塗布体１０を半折り状に変形させ、ペイント面１５にファンデーションを保持させる。使用後には、ペイント面１５に付着のファンデーションを洗い流すことにより、ペイント面１５を清潔な状態に維持できる。実施例１０における塗布体１０の外形形状は、角が丸められた四角形、菱形、円形、楕円形など任意の形状を選べる。ペイント面１５は塗布体１０の両面に形成することができる。さらに、塗布体１０の中央から周辺へ向かって、厚みが徐々に薄くなるように形成しておくと、塗布体１０をソフトで柔らかなものとして、使用時の肌触りを好適化できる。
【００５１】
（実施例１１）  図１４は本発明に係る塗布具Ａの更に異なる実施例１１を示しており、ペン軸状の支持具９と、支持具９に対して着脱できる塗布体１０とを含む。塗布体１０は、実施例９の塗布体１０と実質的に同様に形成してあり、その取付基部１０ｂが、プラスチック成形品からなる支持片３３に装着固定されている。この支持片３３には、実施例９と同様に支持具９の装着穴１３に圧嵌係合される連結軸３４を一体に設けてある。
【００５２】
実施例１１の塗布具Ａによれば、支持片３３付きの塗布体１０を複数個用意しておくことにより、化粧材の違いに応じて塗布体１０および支持片３３を支持具９に交換装着して、色や種類が異なる化粧材が混じり合うのを避けることができる。支持片３３付きの塗布体１０を消耗品として、一定期間ごとに新規な塗布体１０を使用することにより、化粧材および塗布体１０を衛生的な状態に維持できる。
【００５３】
上記の実施例以外に、塗布体１０は支持具９の両端に装着することができる。ペイント面１５の先端側には、付けペンのペン先と同様の切り込みが形成されていてもよい。
【図面の簡単な説明】
【００５４】
【図１】実施例１の塗布具を分解した一部破断正面図
【図２】実施例１の塗布具の適用例を示す化粧材容器の縦断正面図
【図３】実施例１の塗布体の一部破断正面図
【図４】実施例１の塗布体の底面図
【図５】実施例２の塗布体を示す正面図
【図６】実施例３の塗布体を示す正面図
【図７】実施例４の塗布体を示す正面図
【図８】実施例５の塗布体を示す正面図
【図９】実施例６の塗布体を示す平面図と断面図
【図１０】実施例７の塗布体を示す平面図
【図１１】実施例８の塗布体を示す平面図
【図１２】実施例９の塗布具を示す平面図と断面図
【図１３】実施例１０の塗布具を示す平面図
【図１４】実施例１１の塗布具を示す平面図
【符号の説明】
【００５５】
Ａ  塗布具
１  本体容器
２  本体容器の上端口部
３  キャップ
９  支持具
１０  塗布体
１０ａ  塗布体の本体部
１０ｂ  塗布体の取付基部
１５  ペイント面
１６  捕捉凹部
１７  保持溝
【図１】
2006296625.tif 000003
【図２】
2006296625.tif 000004
【図３】
2006296625.tif 000005
【図４】
2006296625.tif 000006
【図５】
2006296625.tif 000007
【図６】
2006296625.tif 000008
【図７】
2006296625.tif 000009
【図８】
2006296625.tif 000010
【図９】
2006296625.tif 000011
【図１０】
2006296625.tif 000012
【図１１】
2006296625.tif 000013
【図１２】
2006296625.tif 000014
【図１３】
2006296625.tif 000015
【図１４】
2006296625.tif 000016